(57)【要約】      （修正有）【課題】モータダンパによるパーソナル吹出用羽根と、拡散吹出用羽の開閉操作による切替手段に加えて、両羽根による風量増減制御手段によって、居室内の空調負荷に応じた風量を安定供給するとともに、居室内を快適な空調状態に保つ吹出口装置を提供する。【解決手段】空調機器から空調ダクトを介して空調空気を導入するチャンバーボックス２に、パーソナル吹出部４と拡散吹出部３を設けるとともに、パーソナル吹出部にパーソナル吹出用羽根６を、拡散吹出部に拡散吹出用羽根５をそれぞれ設け、さらに、各吹出部の各羽根を開閉する制御ボックス７を設け、制御ボックスを介して拡散吹出部の拡散吹出用羽根を閉止し、パーソナル吹出部のパーソナル吹出用羽根を開放することにより、パーソナルモードとするとともに、拡散吹出部の拡散吹出用羽根を開放し、パーソナル吹出部のパーソナル吹出用羽根を閉止することにより、通常モードに切替えるように構成する。【選択図】図１
2017075762.tif 000002
【特許請求の範囲】
【請求項１】
空調機器から空調ダクトを介して空調空気を導入するチャンバーボックスにパーソナル吹出部と拡散吹出部を設けるとともに前記パーソナル吹出部にパーソナル吹出用羽根を、前記拡散吹出部に拡散吹出用羽根をそれぞれ設け、さらに、前記各吹出部の各羽根を開閉する制御ボックスを設けるとともに当該制御ボックスを介して拡散吹出部の拡散吹出用羽根を閉止し、パーソナル吹出部のパーソナル吹出用羽根を開放することによりパーソナルモードとするとともに拡散吹出部の拡散吹出用羽根を開放し、パーソナル吹出部のパーソナル吹出用羽根を閉止することにより通常モードに切替えることができるように構成したことを特徴とする空調システム。
【請求項２】
前記請求項１において、モータ１５の駆動軸に対して、カップリング３１を介して回転軸１６を連結するとともに当該回転軸１６に対して、拡散吹出部３の仕切板１８の空調気流の通気口１９を開閉する拡散吹出用羽根５を取り付け、かつパーソナル吹出部４の空調気流のパーソナル気流用ダクト２０の開口部２１を開閉するパーソナル吹出用羽根６を取り付けることにより構成し、さらに前記カップリング３１の外側には、前記両羽根５，６のうち拡散吹出用羽根５が前記仕切板１８の通気口１９を開放する状態並びにパーソナル吹出用羽根６がパーソナル気流用ダクト２０の開口部２１を閉鎖する状態を検知する位置検出用カム２３ａおよびリミットスイッチ２４ａを設けるとともに、拡散吹出用羽根５が仕切板１８の通気口１９を閉鎖する状態並びにパーソナル吹出用羽根６がパーソナル気流用ダクト２０の開口部２１を開口する状態を検知する位置検出用カム２３ａおよびリミットスイッチ２４ｂを設けることにより構成したことを特徴とする空調システム。
【請求項３】
空調機器から空調ダクトを介して空調空気を導入するチャンバーボックスにパーソナル吹出部と拡散吹出部を設けるとともに前記パーソナル吹出部にパーソナル吹出用羽根を、前記拡散吹出部に拡散吹出用羽根をそれぞれ設け、さらに、前記各吹出部の各羽根を開閉する制御ボックスを設けるとともに当該制御ボックスを介して拡散吹出部の拡散吹出用羽根を閉止し、パーソナル吹出部のパーソナル吹出用羽根を開放することによりパーソナルモードとするとともに拡散吹出部の拡散吹出用羽根を開放し、パーソナル吹出部のパーソナル吹出用羽根を閉止することにより通常モードに切替えることができるように構成したことを特徴とする空調用空気吹出口装置。
【請求項４】
前記請求項３において、モータ１５の駆動軸に対して、カップリング３１を介して回転軸１６を連結するとともに当該回転軸１６に対して、拡散吹出部３の仕切板１８の空調気流の通気口１９を開閉する拡散吹出用羽根５を取り付け、かつパーソナル吹出部４の空調気流のパーソナル気流用ダクト２０の開口部２１を開閉するパーソナル吹出用羽根６を取り付けることにより構成し、さらに前記カップリング３１の外側には、前記両羽根５，６のうち拡散吹出用羽根５が前記仕切板１８の通気口１９を開放する状態並びにパーソナル吹出用羽根６がパーソナル気流用ダクト２０の開口部２１を閉鎖する状態を検知する位置検出用カム２３ａおよびリミットスイッチ２４ａを設けるとともに、拡散吹出用羽根５が仕切板１８の通気口１９を閉鎖する状態並びにパーソナル吹出用羽根６がパーソナル気流用ダクト２０の開口部２１を開口する状態を検知する位置検出用カム２３ａおよびリミットスイッチ２４ｂを設けることにより構成したことを特徴とする空調用空気吹出口装置。
【発明の詳細な説明】
【技術分野】
【０００１】
本発明はオフィス等における個人毎に対応した空気吹出を可能とする空調システムと空調用空気吹出口装置の提供を目的とするものである。
【背景技術】
【０００２】
従来の空調システムとその吹出口装置としては、通常室内を均一な温熱環境とする空調システムと吹出口装置が一般的であったが、これに換えて個人毎に対応してタスク空調を行うための空気吹出口を天井に設置し、空気吹出口は、指向性吹出、拡散吹出および閉止の各動作を切換可能に構成して、アンビエント空調の要素として動作可能としたパーソナル空調システムと空調用空気吹出口装置が提案されている（特許文献１）。
【０００３】
また、アンビエント空調機能とパーソナル空調機能とを有し、パーソナル空調用の空調空気の風量を変更しても、空調空気の総風量が変動し難く居室内の空調負荷に応じた風量を安定供給することができ、居室内を快適な空調状態に保つことができる吹出口装置が提案されている（特許文献２）。
【先行技術文献】
【特許文献】
【０００４】
【特許文献１】特開２０１０−２３６８２０号公報
【特許文献２】特開２０１３−０２９２３８号公報
【発明の概要】
【発明が解決しようとする課題】
【０００５】
特許文献１および２記載の発明は、空調空気を導入するチャンバーとチャンバー内の切替ユニットによって、アンビエント吹出部とパーソナル吹出部の切替に加えて、各吹出部から吹き出す空調空気の風光、風量を変更する気流調正手段とその増減を連携させる制御手段とその増減を連係させる制御手段を備えるものである。
【０００６】
然るに、前記両装置のアンビエント吹出部とパーソナル吹出部の切替および各吹出部からの空調空気の風量、風光を変更、増減制御はいずれも切替様板体（シャッター）による制御であるが、本発明はこれに換えて、モータダンパによるパーソナル吹出用羽根と拡散吹出用羽の開閉操作による切替手段に加えて両羽根による風量増減制御手段によって居室内の空調負荷に応じた風量を安定供給するとともに居室内を快適な空調状態に保つことができる空調システムと吹出口装置の提供を目的とする。
【課題を解決するための手段】
【０００７】
前記目的を達成する発明の請求項１の空調システムの発明は、空調機器から空調ダクトを介して空調空気を導入するチャンバーボックスにパーソナル吹出部と拡散吹出部を設けるとともに前記パーソナル吹出部にパーソナル吹出用羽根を、前記拡散吹出部に拡散吹出用羽根をそれぞれ設け、さらに、前記各吹出部の各羽根を開閉する制御ボックスを設けるとともに当該制御ボックスを介して拡散吹出部の拡散吹出用羽根を閉止し、パーソナル吹出部のパーソナル吹出用羽根を開放することによりパーソナルモードとするとともに拡散吹出部の拡散吹出用羽根を開放しパーソナル吹出部のパーソナル吹出用羽根を閉止することにより通常モードに切替えることができるように構成したことを特徴とする。
【０００８】
また、本発明の請求項２の空調システムの発明は、モータ１５の駆動軸に対して、カップリング３１を介して回転軸１６を連結するとともに当該回転軸１６に対して、拡散吹出部３の仕切板１８の空調気流の通気口１９を開閉する拡散吹出用羽根５を取り付け、かつパーソナル吹出部４の空調気流のパーソナル気流用ダクト２０の開口部２１を開閉するパーソナル吹出用羽根６を取り付けることにより構成し、さらに前記カップリング３１の外側には、前記両羽根５，６のうち拡散吹出用羽根５が前記仕切板１８の通気口１９を開放する状態並びにパーソナル吹出用羽根６がパーソナル気流用ダクト２０の開口部２１を閉鎖する状態を検知する位置検出用カム２３ａおよびリミットスイッチ２４ａを設けるとともに、拡散吹出用羽根５が仕切板１８の通気口１９を閉鎖する状態並びにパーソナル吹出用羽根６がパーソナル気流用ダクト２０の開口部２１を開口する状態を検知する位置検出用カム２３ａおよびリミットスイッチ２４ｂを設けることにより構成したことを特徴とする。
【０００９】
さらに、本発明の請求項３の空調用空気吹出口装置の発明は、空調機器から空調ダクトを介して空調空気を導入するチャンバーボックスにパーソナル吹出部と拡散吹出部を設けるとともに前記パーソナル吹出部にパーソナル吹出用羽根を、前記拡散吹出部に拡散吹出用羽根をそれぞれ設け、さらに、前記各吹出部の各羽根を開閉する制御ボックスを設けるとともに当該制御ボックスを介して拡散吹出部の拡散吹出用羽根を閉止し、パーソナル吹出部のパーソナル吹出用羽根を開放することによりパーソナルモードとするとともに拡散吹出部の拡散吹出用羽根を開放しパーソナル吹出部のパーソナル吹出用羽根を閉止することにより通常モードに切替えることができるように構成したことを特徴とする。
【００１０】
また、本発明の請求項４の空調用空気吹出口装置の発明は、モータ１５の駆動軸に対して、カップリング３１を介して回転軸１６を連結するとともに当該回転軸１６に対して、拡散吹出部３の仕切板１８の空調気流の通気口１９を開閉する拡散吹出用羽根５を取り付け、かつパーソナル吹出部４の空調気流のパーソナル気流用ダクト２０の開口部２１を開閉するパーソナル吹出用羽根６を取り付けることにより構成し、さらに前記カップリング３１の外側には、前記両羽根５，６のうち拡散吹出用羽根５が前記仕切板１８の通気口１９を開放する状態並びにパーソナル吹出用羽根６がパーソナル気流用ダクト２０の開口部２１を閉鎖する状態を検知する位置検出用カム２３ａおよびリミットスイッチ２４ａを設けるとともに、拡散吹出用羽根５が仕切板１８の通気口１９を閉鎖する状態並びにパーソナル吹出用羽根６がパーソナル気流用ダクト２０の開口部２１を開口する状態を検知する位置検出用カム２３ａおよびリミットスイッチ２４ｂを設けることにより構成したことを特徴とする。
【発明の効果】
【００１１】
本発明の空調システムと空調用空気吹出口装置によれば、居室内の空調負荷に応じた風量を拡散気流とパーソナル気流の切替により安定供給するとともに居室内を快適な空調状態に保つことができる。
【図面の簡単な説明】
【００１２】
【図１】（ａ）は本発明の実施例１を示す空調用空気吹出し口装置の縦断側面図、（ｂ）は同下側図面
【図２】本発明の実施例１の拡散気流パーソナル気流の各モード時の空調システムの説明図
【図３】通常モード、パーソナルモードおよび不在モードの空調システムの説明図
【図４】（ａ）、（ｂ）は試験室及び気流分布風速測定ポイントの説明図
【図５】（ａ）（ｂ）は風量１００ＣＭＨ（ネック風速：１．６ｍ/ｓ）の通常モードによる試験結果の説明図
【図６】（ａ）、（ｂ）は同パーソナルモードによる試験結果の説明図
【図７】（ａ）、（ｂ）は同風量１５０ＣＭＨ（ネック風速：２．３ｍ/ｓ）の通常モードによる試験結果の説明図
【図８】（ａ）、（ｂ）は同パーソナルモードによる試験結果の説明図
【図９】（ａ）、（ｂ）は同風量２００ＣＭＨ（ネック風速：３．１ｍ/ｓ）の通常モードによる試験結果の説明図
【図１０】（ａ）、（ｂ）は同パーソナルモードによる試験結果の説明図
【図１１】（ａ）、（ｂ）は同風量２５０ＣＭＨ（ネック風速：３．９ｍ/ｓ）の通常モードによる試験結果の説明図
【図１２】（ａ）、（ｂ）は同パーソナルモードによる試験結果の説明図
【図１３】（ａ）、（ｂ）は同風量３００ＣＭＨ（ネック風速：４．７ｍ/ｓ）の通常モードによる試験結果の説明図
【図１４】（ａ）、（ｂ）は同パーソナルモードによる試験結果の説明図
【図１５】実施例２の空調用空気吹出口装置を示す一部を破断した斜視図
【図１６】実施例２の空調用空気吹出口装置を示す一部を破断した斜視図
【図１７】実施例２の空調用空気吹出口装置を示す一部を破断した斜視図
【図１８】実施例２の空調用空気吹出口装置を示す一部を破断した斜視図
【図１９】実施例２の空調用空気吹出口装置の拡散吹出部とパーソナル吹き出し部の斜視図
【図２０】実施例２の空調用空気吹出口装置の拡散吹出部とパーソナル吹き出し部の斜視図
【図２１】実施例２の空調用空気吹出口装置の拡散吹出部とパーソナル吹き出し部の斜視図
【図２２】実施例２の空調用空気吹出口装置の拡散吹出部とパーソナル吹き出し部の斜視図
【図２３】拡散吹出用羽根とパーソナル吹出用羽根の分解斜視図
【図２４】拡散吹出用羽根とパーソナル吹出用羽根の斜視図
【図２５】制御ボックスの構成を示す分解斜視図
【図２６】拡散吹出用羽根とパーソナル吹出用羽根の通常モードを示す斜視図
【図２７】拡散吹出用羽根とパーソナル吹出用羽根のパーソナルモードを示す斜視図
【発明を実施するための形態】
【００１３】
以下本発明の実施例について説明する。
【実施例１】
【００１４】
図１〜３は本発明の空調システムおよび空調用空気吹出口装置の実施例１を示すものである。
【００１５】
図１（ａ）、（ｂ）において、１は空調用空気吹出口装置を示し同装置１は、空調機器（図示しない）の空調ダクトを介して空調空気を導入するチャンバーボックス２と当該チャンバーボックス２内に設けた拡散吹出口部３およびパーソナル吹出部４および当該拡散吹出口部３に設けた拡散吹出用羽根５とパーソナル吹出部４に設けたパーソナル吹出口用羽根６の開閉操作を制御する制御ボックス７とから構成されている。
【００１６】
また、前記チャンバーボックス２には、前記空調ダクトと接続するネック８を設けるとともに内コーン９および外コーン１０による拡散気流の吹出口１１およびパーソナル気流の吹出口１２を設けることにより構成されている。
【００１７】
尚、前記内コーン９には開閉自在な塞ぎ板１３を具備するとともにパーソナル気流の吹出口１２にはパンチング穴を開口した吹出板１４を具備することにより構成されている。
【００１８】
以上の構成からなる空調用空気吹出口装置１による空調システムについて図２、３により説明すると、先ず拡散気流時の空調システムについては、制御ボックス７のモータ１５を駆動して拡散吹出口部３の拡散吹出用羽根５を開放するとともにパーソナル吹出部４のパーソナル吹出用羽根６を閉止することによりネック９を介してチャンバーボックス２内に導入される空調空気は、図２に示すように拡散吹出部３の内外コーン９、１０の吹出口１１を介してチャンバーボックス２の四方から居室内に拡散気流として吹き出される。
【００１９】
また、この拡散気流による空調システムにおいて制御ボックス７のモータ１５の駆動を制御しつつ前記拡散吹出用羽根５を開より閉止状態とするとともにパーソナル吹出用羽根６を閉止状態から開放状態に操作することにより、パーソナル吹出部４の吹出口１２よりネック８から導入される空調空気を吹き出すことができ、パーソナル気流による空調システムに切り換えることができるものである。
【００２０】
よって、前記実施例１の具体的な空調システムによる試験の実測データを図４〜１４とともに示すと、図４は試験室および気流分布風速測定ポイントを示し、図５〜１４はそれぞれ風量（ＣＭＨ）、ネック風速別に通常モード（パーソナル気流）とパーソナルモード（拡散気流）の測定結果を示すものである。
【００２１】
また、その試験内容について説明すると、通常モード試験は吹出口１１の四方向から吹き出し、その気流を可視化できるように煙を用いて確認するとともに各図に示す通り風量はネック８位置で最小１００ＣＭＨ（１．６ｍ／ｓ）〜最大３００ＣＭＨ（４．７ｍ／ｓ）とし吹出口１１から０．５ｍ間隔で吹出風速を測定したものであり、パーソナルモード試験については、前記吹出口１１の四方向からの吹出を塞ぎ、ＭＤ羽根（パーソナル吹出用羽根）６を全開したときの気流を可視化できるように煙を用いて確認し、風量と風速条件は前記通常モードの空調システムと同一条件で行ったものである。
【００２２】
尚、図５の試験結果は、四方向から均一な拡散気流が確認でき、最小拡散半径を０．５ｍ／ｓとすると拡散半径は０．５ｍとなる。
【００２３】
図６の場合は、緩やかではあるがパーソナル気流が確認でき、最小到達距離を０．５ｍ／ｓとすると到達距離は０．５ｍとなる。
【００２４】
図７の場合は、四方向から均一な拡散気流が確認でき、最小拡散半径を０．５ｍ／ｓとすると拡散半径は１．０ｍとなる。
【００２５】
図８の場合は、パーソナル気流が確認でき、吹出真下で若干ではあるが気流を感じられ、最小到達距離を０．５ｍ／ｓとすると到達距離は１．０ｍとなる。
【００２６】
図９の場合は、四方向から均一な拡散気流が確認でき、最小拡散半径を０．５ｍ／ｓとすると拡散半径は１．５ｍとなる。
【００２７】
図１０の場合は、パーソナル気流が確認でき、吹出真下でも気流を感じられ、最小到達距離を０．５ｍ／ｓとすると到達距離は１．５ｍとなる。
【００２８】
図１１の場合は、四方向から均一な拡散気流が確認でき、最小拡散半径を０．５ｍ／ｓとすると拡散半径は２．０ｍとなる。
【００２９】
図１２の場合は、パーソナル気流が確認でき、吹出真下でも気流を感じられ、最小到達距離を０．５ｍ／ｓとすると到達距離は１．５ｍ以上となる。
【００３０】
図１３の場合は、四方向から均一な拡散気流が確認でき、最小拡散半径を０．５ｍ／ｓとすると拡散半径は２．５ｍとなる。
【００３１】
図１４の場合は、パーソナル気流が確認でき、吹出真下でも気流を感じられ、最小到達距離を０．５ｍ／ｓとすると到達距離は１．５ｍ以上となる。
【実施例２】
【００３２】
図１５〜２２は本発明空調用空気吹出口装置１の具体的な構成を示す実施例２である。
【００３３】
図１５、１６はパーソナルモード状態における空調用空気吹出口装置１の一部を破断して示す斜視図、図１７、１８は通常モード状態における空調用空気吹出口装置１の一部を破断して示す斜視図、図１９、２０はパーソナルモード状態における拡散吹出部３およびパーソナル吹出部４の斜視図、図２１、２２は通常モード状態における拡散吹出部３およびパーソナル吹出部４の斜視図を示すものである。
【００３４】
図１５〜２２の実施例２における構成については、前記実施例１に示した空調用空気吹出口装置１と同一の構成については同一の符号を付して、その構成説明を省略する。
【００３５】
当該実施例２においては、空調用空気吹出口装置１の通常モード、すなわちパーソナル吹出部４のパーソナル吹出用羽根６を開放するとともに拡散吹出部３の拡散吹出用羽根５を閉止し、吹出口１２よりパーソナル気流を吹き出し、逆に前記パーソナル吹出部４のパーソナル吹出用羽根６を閉止し、拡散吹出部３の拡散吹出用羽根５を開放し、吹出口１１より拡散気流を吹き出すパーソナルモード状態のそれぞれについて図示したものである。
【００３６】
空調用空気吹出口装置１の拡散吹出部３とパーソナル吹出部４の構成における拡散吹出用羽根５は、図１６、２０に示すようにモータ１５の駆動軸（図示しない）連結される回転軸１６に対して取付軸１７により連結されるとともにパーソナル吹出用羽根６は図１５、１９に示すようにモータ１５の駆動軸１６に直結されている。
また拡散吹出用羽根５はチャンバーボックス２に設けられた仕切板１８に開口した通気口１９を開閉することができるように構成されている。
【００３７】
そして、パーソナル吹出用羽根６は、仕切板１８に取り付けたパーソナル気流用ダクト２０の開口部２１を開閉することができるように構成され、前記当該パーソナル吹出用羽根６を開閉する回転軸１６は、パーソナル気流用ダクト２０に設けた軸受２２を介して取り付けられている。
【００３８】
さらに、前記拡散吹出部３とパーソナル吹出部４によるパーソナル気流および拡散気流の通常モードとパーソナルモードの切り替え制御については、前記モータ１５の回転軸１６取り付けた拡散吹出用羽根５とパーソナル吹出用羽根６を仕切板１８の通気口１９とパーソナル気流用ダクト２０の開口部２１を開閉しつつ実施するが、その際には前記モータ１５の回転軸１６に設けたカム２３および当該カム２３によるリミットスイッチ２４により操作する。
【００３９】
そして、以下には前記構成における拡散吹出部３とパーソナル吹き出し部４の各羽根５、６の回転軸１６との取付構造並びに各羽根５、６の具体的な構成について図２３、２４により説明するとともに前記各羽根５、６お開閉状態を制御するカム２３、リミットスイッチ２４の具体的な構成を図２５により説明する。
【００４０】
尚、図２６、２７は、図１９、２０の通常モード（パーソナル気流モード・パーソナル吹出用羽根６の開状態時）に対応する状態における各羽根５、６のみの構成と図２１、２２のパーソナルモード（拡散吹出用羽根５の開状態時）に対応する状態における各羽根５、６のみの構成をそれぞれ示すものである。
【００４１】
図２３は拡散吹出用羽根５とパーソナル吹出用羽根６を回転軸に取り付ける取付構成を示す分解斜視図で、拡散吹出用羽根５は、回転軸１６の軸心線に対して右側に取り付ける羽根体５ａと、左側に取り付ける羽根体５ｂ、５ｃにより構成され、それぞれの羽根体５ａ〜５ｃは、図２１，２２にて示す仕切板１８に開口される通気口１９の各通気口１９ａ〜１９ｃを開閉することができるように各通気口１９ａ〜１９ｃの開口形状に対応する形状により構成されている。
【００４２】
そこで各羽根５ａ〜５ｃは、図２３に示される通り、羽根体５ａ〜５ｃに対応する形状のガスケット２５，２６を介装するとともにスペーサ２７を介装し、かつ回転軸１６の軸心線間には取付軸１７として図２０に示したカラー１７ａを介装しつつ回転軸１６の軸心線の左右両側部に軸心線との水平面に平行状態に取り付けることにより拡散吹出用羽根５を構成する（図２４参照）。
【００４３】
また、パーソナル吹出用羽根６は、パーソナル気流用ダクト２０（図１９，２０参照）の開口部２１を開閉することができるように構成され、その内径は開口部２１の開口径に対応した形状に構成されるとともに、図２３に示すように同一形状のガスケット２９を介装しつつ回転軸１６に対して軸心線との直交面に平行せしめてネジ３０により取り付けることによりパーソナル吹出用羽根６を構成する（図２４参照）。
【００４４】
すなわち両羽根５，６は、回転軸１６の軸心線に対して拡散吹出用羽根５はその左右両側部に水平面に平行して取り付けられるとともにパーソナル吹出用羽根６は直交面に平行して取り付けられ、両者は互いに直交面上に張設されることにより構成される（図２４参照）。
【００４５】
従って図２６，２７は両羽根５，６の通常モード、パーソナルモード状態を示すものであるが、図２６の通常モードにおいてパーソナル気流用ダクト２０の吹出口１２によりパーソナル気流が吹き出される場合には、拡散吹出用羽根５が水平状態（仕切板１８の通気口１９を閉鎖する）にて保持されるのに対してパーソナル吹出用羽根６は、パーソナル気流用ダクト２０の開口部２１において直交する直立状態に保持され開口部２１を開放する状態となる。
【００４６】
これとは逆に、図２７のパーソナルモードにおいては回転軸１６が９０度回転されると拡散吹出用羽根５が図２６の水平状態から図２７の直立状態に保持され、図２７においては図示されていない仕切板１８の通気口１９が開放されることになるとともにパーソナル気流用ダクト２０の開口部２１におけるパーソナル吹出用羽根６は水平状態に保持されて開口部２１を閉鎖する状態となる。
【００４７】
前記両羽根５，６の構成に加えて図２５は両羽根５，６の位置検出並びにこれの開閉操作する制御部としての構成を示すものである。
そして、前記回転軸１６による両羽根５，６の開閉操作並びに通常モードと拡散気流のパーソナルモードへの切替操作の各制御について以下に説明する。
【００４８】
図２５において前記回転軸１６はモータ１５の駆動軸（図示しない）に対してカップリング３１を介して連結されるとともに当該カップリング３１を介して連結されるとともに当該カップリング３１の外側には、前記拡散吹出用羽根５の位置検出用カム２３ａとパーソナル吹出用羽根６の位置検出用カム２３ｂを取り付け、さらに両カム２３ａ，２３ｂには両羽根５，６の開閉位置、すなわちカム２３ａは、拡散吹出用羽根５が開放されパーソナル吹出用羽根６が閉鎖状態に保持されることを検知するリミットスイッチ２４ａを、カム２３ｂはこれを逆に拡散吹出用羽根５が閉鎖状態となり、パーソナル吹出用羽根６が開放状態に保持されることを検知するリミットスイッチ２４ｂをそれぞれカム２３ａ，２３ｂの作動位置に対応せしめて設定することにより構成されている。
【００４９】
しかして、これらモータ１５を含むカム２３、リミットスイッチ２４等の制御部はチャンバーボックス２の内側に設置することにより構成されている。
【００５０】
さて、以上の構成からなる空調用空気吹出装置１においてネック８を介して供給される空調空気を通常モード並びにこれをパーソナルモードに切り替えつつ空調を実施する場合には、モータ１５の駆動軸に対して、カップリング３１を介して回転軸１６を連結するとともに当該回転軸１６に対して、拡散吹出部３の仕切板１８の空調気流の通気口１９を開閉する拡散吹出用羽根５を取り付け、かつパーソナル吹出部４の空調気流のパーソナル気流用ダクト２０の開口部２１を開閉するパーソナル吹出用羽根６を取り付けることにより構成し、さらに前記カップリング３１の外側には、前記両羽根５，６のうち拡散吹出用羽根５が前記仕切板１８の通気口１９を開放する状態並びにパーソナル吹出用羽根６がパーソナル気流用ダクト２０の開口部２１を閉鎖する状態を検知する位置検出用カム２３ａおよびリミットスイッチ２４ａを設けるとともに、拡散吹出用羽根５が仕切板１８の通気口１９を閉鎖する状態並びにパーソナル吹出用羽根６がパーソナル気流用ダクト２０の開口部２１を開口する状態を検知する位置検出用カム２３ａおよびリミットスイッチ２４ｂを設けることにより構成した空調用空気吹出口装置１において、前記リミットスイッチ２４ａのＯＮ状態下にパーソナルモードによる空調空気の供給を実施することができ（図２１，２２，２７の状態参照）、逆にこのパーソナルモードをモータ１５の起動にて回転軸１６を９０度回動し、前記リミットスイッチ２４ａのＯＦＦ状態となりカム２３ｂが回転軸１６の回動により回動しリミットスイッチ２４ｂをＯＮ状態とすることにより、前記拡散吹出用羽根５の開放状態が仕切板１８の通気口１９を閉鎖状態となり、逆にパーソナル吹出用羽根６がパーソナル気流用ダクト２０の開口部２１を開放状態となり通常モードに切り換えることができる（図１５，１６，２６の状態参照）。
【００５１】
また、これを切り替える場合にはモータ１５を起動して回転軸１６を９０度逆回転させることにより、これをカム２３ａおよびリミットスイッチ２４ｂが作動して前記パーソナル吹出用羽根６の開放状態と拡散吹出用羽根５の閉鎖状態を検知し、これを維持することにより空調気流の供給を通常モードに切り替えることができるものである。
【００５２】
以上の実施例１，２の空調用空気吹出口装置１によれば、通常モードとパーソナルモードの切替を回転軸１６に拡散吹出用羽根５とパーソナル吹出用羽根６を取り付けるとともに両羽根５，６の仕切板１８の通気口１９とパーソナル気流用ダクト２０の開口部２１の開閉操作を回転軸１６の回動操作により実施することができるように構成したものであるが、かかる制御操作の構成については回転軸１６のみの実施に替えて拡散吹出用羽根５とパーソナル吹出用羽根６による仕切板１８の通気口１９とパーソナル気流用ダクト２０の開口部２１の開閉操作はそれぞれ個別の操作手段にて制御しつつ実施することも可能である。
【符号の説明】
【００５３】
１      空調用空気吹出口装置
２      チャンバーボックス
３      拡散吹出部
４      パーソナル吹出部
５      拡散吹出用羽根
５ａ    羽根体
５ｂ    羽根体
５ｃ    羽根体
６      パーソナル吹出用羽根
７      制御ボックス
８      ネック
９      内コーン
１０    外コーン
１１    吹出口
１２    吹出口
１３    塞ぎ板
１４    吹出板
１５    モータ
１６    回転軸
１７    取付軸
１８    仕切板
１９    通気口
１９ａ  通気口
１９ｂ  通気口
２０    パーソナル気流用ダクト
２１    開口部
２２    軸受
２３    カム
２３ａ  カム
２３ｂ  カム
２４    リミットスイッチ
２４ａ  リミットスイッチ
２４ｂ  リミットスイッチ
２５    ガスケット
２６    ガスケット
２７    スペーサ
２８    ネジ
２９    ガスケット
３０    ネジ
３１    カップリング
【図１】
2017075762.tif 000003
【図２】
2017075762.tif 000004
【図３】
2017075762.tif 000005
【図４】
2017075762.tif 000006
【図５】
2017075762.tif 000007
【図６】
2017075762.tif 000008
【図７】
2017075762.tif 000009
【図８】
2017075762.tif 000010
【図９】
2017075762.tif 000011
【図１０】
2017075762.tif 000012
【図１１】
2017075762.tif 000013
【図１２】
2017075762.tif 000014
【図１３】
2017075762.tif 000015
【図１４】
2017075762.tif 000016
【図１５】
2017075762.tif 000017
【図１６】
2017075762.tif 000018
【図１７】
2017075762.tif 000019
【図１８】
2017075762.tif 000020
【図１９】
2017075762.tif 000021
【図２０】
2017075762.tif 000022
【図２１】
2017075762.tif 000023
【図２２】
2017075762.tif 000024
【図２３】
2017075762.tif 000025
【図２４】
2017075762.tif 000026
【図２５】
2017075762.tif 000027
【図２６】
2017075762.tif 000028
【図２７】
2017075762.tif 000029